(57)【特許請求の範囲】
【請求項１】
ダンパーダイオードと共振コンデンサが並列に接続された第１、第２の並列回路と水平出力トランジスタ、第１、第２のＳ字補正コンデンサ、ピンクッション補正用変調コイル及びインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間にインナーピン補正用コイルが接続される水平偏向回路。
【請求項２】
ダンパーダイオードと共振コンデンサが並列に接続された第１、第２の並列回路と水平出力トランジスタ、第１、第２のＳ字補正コンデンサ、ピンクッション補正用変調コイル及び着磁したインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間に着磁したインナーピン補正用コイルが接続される水平偏向回路。
【発明の詳細な説明】
【０００１】
【発明の属する技術分野】
本発明はテレビジョン受像機の水平偏向回路に関する。
【０００２】
【従来の技術】
従来の水平偏向回路として例えば、特公平６−３８６３３号公報が提案されており、図５は前記公報における左右ピンクッション歪み補正回路を示す。
図５において、符号１は水平出力トランジスタで、水平出力トランジスタのベースには水平ドライブ回路より水平周期のドライブ信号が入力され、コレクタには直流電源２よりフライバックトランスの一次巻線３を通して電源電圧が供給される。そしてエミッタは接地される。
第１のダンパーダイオード４と第１の共振コンデンサ６が並列に接続された第１の並列共振回路が構成され、第２のダンパーダイオード５と第２の共振コンデンサ７が並列に接続された第２の並列共振回路が構成され、この第１、第２の並列共振回路が直列に接続されて、水平出力トランジスタ１のコレクタ、エミッタ間に並列に接続される。
【０００３】
また、第１、第２の並列共振回路の中点と水平出力トランジスタ１のコレクタ間に、第１のＳ字補正コンデンサ１１と補正コイルの２次巻線１３ｂ、第２のＳ字補正コンデンサ１２と偏向コイルの水平巻線１４が直列に接続される。補正コイルの２次巻線１３ｂは補正コイル１３ａとトランス結合され、補正コイル１３ａの一方は第１のＳ字補正コンデンサ１１補正コイルの２次巻線１３ｂの中点に接続され、他方は接地される。
更に、第１、第２の並列共振回路の中点にはピンクッション補正用変調コイル８が接続され、変調源１０より垂直周期の変調信号Ｖｍが加えられる。また変調源１０とピンクッション補正用変調コイル８の間にはコンデンサ９が接続され、他方は接地される。
【０００４】
このような偏向回路において、変調源１０から図６に示す様な下向きの垂直周期パラボラ電圧Ｖｍを加えると、偏向コイルの水平巻線１４を図５の矢印の向きに偏向電流Ｉｙが流れ、補正コイル１３ａには図５の矢印の向きにＶｍによる変調電流Ｉ’が流れる。
この時、水平偏向電流Ｉｙは水平出力トランジスタ１のコレクタ電圧Ｖｃｐと変調電圧Ｖｍの差に応じたパラボラ電圧で変調され、左右ピンクッション歪みが補正される。また、偏向コイルの水平巻線１４のインダクタンスをＬｙ、ピンクッション補正用コイル８のインダクタンスをＬｍ、第１の共振コンデンサ６の容量をＣｆ１、第２の共振コンデンサ７の容量をＣｆ２として、ＬｙＣｆ１＝ＬｍＣｆ２の関係が成り立ち、Ｉ’が流れない時、ＶｃｐはＶｍに影響されず、高圧出力がＶｍにより変動することはない。
【０００５】
水平偏向回路では電子ビームを走査する際に画面中心部と左右周辺部では偏向中心からの距離が異なる為、水平偏向電流は直線的な鋸波ではなく、Ｓ字状にする必要がある。
また、偏向中心からの距離は画面の上下端では遠く、左右中央部では近い。このため、Ｓ字補正量が一定であると、画面左右端のピンクッション歪が無くなるように補正した場合、画面中間部でピンクッション歪が過補正となり、図７に示すようなインナーピン歪みを生じる。
【０００６】
図５に示す回路ではこの問題を解決する為、Ｓ字補正を第１のＳ字補正コンデンサ１１と第２のＳ字補正コンデンサ１２の２つを用いて行う。第１のＳ字補正コンデンサ１１にはＶｍに応じて垂直周期、及び水平周期で変化する変調電流Ｉ’が流れる為、Ｓ字補正量はＶｍに応じて垂直レートで変化する。よって画面中央部と上下端でＳ字補正量が変化し、画面中間部に残るインナーピン歪みが解消される。インナーピン歪みの補正量を大きくする為には、２つのＳ字補正コンデンサの直列容量を変えずに第１のＳ字補正コンデンサ１１の容量を小さくするとよい。
【０００７】
すなわち、第１のＳ字補正コンデンサ１１には、偏向電流Ｉｙと変調電流Ｉ’が互いに逆向きに流れているため、第１のＳ字補正コンデンサ１１の容量が小さいほど、このコンデンサの両端に発生するＳ字補正電圧が大きくなる。
しかし、偏向電流Ｉｙが大きくなると、第１のＳ字補正コンデンサ１１に発生する電圧が大きくなり過ぎ、変調電圧Ｖｍによる変調能率が低下する。このため、補正コイル１３ａをトランス構造とし、補正コイルの２次側１３ｂに偏向電流Ｉｙを流すことにより、変調電流Ｉ’を小さくし変調能率の低下を防止する。
【０００８】
【発明が解決しようとする課題】
しかしながら、従来の構成では変調能率の低下を防止するために、トランス構造の補正コイル１３ａ及び１３ｂが必要であり、コストが高くなる。
また、電流Ｉ’は２本のダンパーダイオードと共振コンデンサ及び変調源により構成されたブリッジ回路の外に流出するため、ＬｙＣｆ１＝ＬｍＣｆ２の関係が成り立つ場合でも高圧変動及び高圧変動による振幅変動が生じる。
更に、補正コイル１３ａに流れる電流Ｉ’は図８の様になるが、この電流Ｉ’がちょうど０になる点が、水平偏向電流Ｉｙが０になる点と合わずに時間ｔだけずれ、画面中央にもピンクッション補正がかかり、図９の様に画面中央部縦線が弓状に歪む問題点が確認された。
この現象は第１のＳ字補正コンデンサ１１と第２のＳ字補正コンデンサ１２の容量差が大きいほど顕著であり、インナーピン歪みの補正量を大きくしようとする場合に、著しく不利になる。
【０００９】
【課題を解決するための手段】
上記課題を解決するために、本発明ではトランス構造の補正コイル１３ａに代わり、通常のコイルを用い、ブリッジ回路の外に電流を出さない回路構造として、高圧変動及び振幅変動を解決すると共に、変調能率の低下を防止する。
また、画面中央でピンクッション補正がかからないよう着磁させた補正コイルを用い、Ｉ’に流れる電流の向きにより、Ｉ’の大きさを制御するように回路を構成する。
【００１０】
【発明の実施の形態】
本発明における第１の発明は、ダンパーダイオードと共振コンデンサが並列に接続された第１、第２の並列回路と水平出力トランジスタ、第１、第２のＳ字補正コンデンサ、ピンクッション補正用変調コイル及びインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間にインナーピン補正用コイルが接続される水平偏向回路としたもので、コストを低減し、インナーピン補正時に発生する高圧変動及び弓状歪みを解消する。
【００１１】
さらに、第２の発明は、ダンパーダイオードと共振コンデンサが並列に接続された第１、第２の並列回路と水平出力トランジスタ、第１、第２のＳ字補正コンデンサ、ピンクッション補正用変調コイル及び着磁したインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間に着磁したインナーピン補正用コイルが接続される水平偏向回路としたもので、コストを低減し、インナーピン補正時に発生する高圧変動及び弓状歪みを解消する。
【００１２】
【実施例】
以下、本発明の実施例における水平偏向回路について図面を参照しながら説明する。
【００１３】
（実施例１）
図１は本発明の第１の実施例における水平偏向回路の回路図を示す。図１において、符号１は水平出力トランジスタ、２は電源、３はフライバックトランスの一次巻線、４は第１のダンパーダイオード、５は第２のダンパーダイオード、６は第１の共振コンデンサ、７は第２の共振コンデンサ、８はピンクッション補正用変調コイル、９はコンデンサ、１０は変調源、１１は第１のＳ字補正コンデンサ、１２は第２のＳ字補正コンデンサ、１４は偏向コイルの水平巻線、１５はインナーピン補正用コイルである。
【００１４】
以上のように構成された回路構成について、以下にその動作を説明する。
まず、直流電源２からフライバックトランスの１次巻線３を通して電源電圧が供給され、水平出力トランジスタ１のベースには水平ドライブ回路より水平周期のドライブ信号が入力され、水平出力トランジスタ１をスイッチングすることにより、水平偏向回路として動作する。
そして、変調源１０から図６に示す様な下向きの垂直周期パラボラ電圧Ｖｍを加えると、偏向コイルの水平巻線１４を図１の矢印の向きに偏向電流Ｉｙが流れ、インナーピン補正用コイル１５には図１の矢印の向きにＶｍによる変調電流Ｉ’が流れる。この時、水平偏向電流Ｉｙは水平出力トランジスタのコレクタ電圧Ｖｃｐと変調電圧Ｖｍの差に応じたパラボラ電圧で変調され、左右ピンクッション歪みが補正される。
【００１５】
インナーピンの補正は、第１のＳ字補正コンデンサ１１と第２のＳ字補正コンデンサ１２の２つを用いて行う。第１のＳ字補正コンデンサ１１にはＶｍに応じて垂直周期、及び水平周期で変化する変調電流Ｉ’が流れる為、Ｓ字補正量はＶｍに応じて垂直レートで変化する。よって画面中央部と上下端でＳ字補正量が変化し、画面中間部に残るインナーピン歪みが解消される。
インナーピン歪みの補正量を大きくする為には、２つのＳ字補正コンデンサの直列容量を変えずに第１のＳ字補正コンデンサ１１の容量を小さくするとよい。
ここで、第１のＳ字補正コンデンサ１１には、偏向電流Ｉｙと変調電流Ｉ’が互いに逆向きに流れているため、第１のＳ字補正コンデンサ１１の容量が小さいほど、このコンデンサの両端に発生するＳ字補正電圧が大きくなる。
しかし、偏向電流Ｉｙが大きくなると、第１のＳ字補正コンデンサ１１に発生する電圧が大きくなり過ぎ、変調電圧Ｖｍによる変調能率が低下する。
本発明では、インナーピン補正用コイル１５はピンクッション補正用変調コイル８の一部として動作するため、変調能率の低下は発生しない。
【００１６】
また、インナーピン補正用コイル１５の片側はピンクッション補正用変調コイル８と変調源１０との間に接続されているため、電流Ｉ’が第１のダンパーダイオード４と第２のダンパーダイオード５、及び第１の共振コンデンサ６と第２の共振コンデンサ７からなるブリッジ回路の外に流出することはない。
よって、電流Ｉ’により上記ブリッジ回路の平衡条件が崩れる事が無く、水平出力トランジスタ１のコレクタ電圧ＶｃｐはＶｍに影響されない。
すなわち、フライバックトランスの１次巻線３の両端に発生する電圧はＶｍに影響されず、高圧出力がＶｍにより変動することはない。高圧変動及び高圧変動による振幅変動が発生しない条件は、偏向コイルの水平巻線１４のインダクタンスをＬｙ、ピンクッション補正用変調コイル８とインナーピン補正用コイル１５の並列インダクタンスをＬｍ’、第１の共振コンデンサ６の容量をＣｆ１、第２の共振コンデンサ７の容量をＣｆ２とすると、ＬｙＣｆ１＝Ｌｍ’Ｃｆ２であることが実験的に確認された。
（実施例２）
以下、本発明の第２の実施例における水平偏向回路について図２を参照しながら説明するが、実施例１と同一の部分については説明を省略する。図２は本発明の一実施例における回路構成図を示す。
図２において、符号１６は着磁したインナーピン補正用コイルである。実施例１と異なるのは、インナーピン補正コイル１５の代わりに着磁したインナーピン補正コイル１６を使用する点である。
実施例１では第１のＳ字補正コンデンサ１１と第２のＳ字補正コンデンサ１２の容量とインナーピン補正コイル１５のインダクタンスにより、インナーピン補正コイルに流れる電流Ｉ’の波形が決定される。
インナーピン補正量が小さい場合、すなわちインナーピン補正コイル１５のインダクタンスが大きく、かつ第１のＳ字補正コンデンサ１１と第２のＳ字補正コンデンサ１２の容量差が小さい場合は特に問題にならないが、インナーピン補正量を大きくする場合は電流Ｉ’の波形は図８に示す様に電流の＋側と−側で非対称になる。
【００１７】
この時、図８に示す様に電流Ｉ’が０になる時間と偏向電流Ｉｙが時間がｔだけずれ、結果図９に示すように画面中央縦線が弓状に歪む。
第２の実施例ではこの問題点を解決するため、着磁したインナーピン補正コイル１６を使用する。
着磁したインナーピン補正コイル１６の特性例を図３に示す。図３のようにコイルを通過する電流が−側の時インダクタンスが小さくなるようなコイルを使用すると、電流Ｉ’が−側になると電流が増えることになる。
すなわち、コイルの着磁量によって電流Ｉ’の＋側、−側の電流値を制御することが出来るため、図４に示すように電流Ｉ’が０になる時間と、偏向電流Ｉｙが０になる時間を合わせることが出来る。
このようにして画面中央部にピンクッション補正がかからないようにし、画面中央縦線の弓状歪みを解消することが出来る。
【００１８】
【発明の効果】
本発明は上記構成により、高圧変動及び振幅変動特性を悪化させずに中間ピンクッション歪み、及び画面中央部縦線の弓状歪みを解消する。
また、変調効率を落とさずピンクッション補正を行うことが出来る。これらはブラウン管の大型化、フラット化にとって極めて有効である。
【図面の簡単な説明】
【図１】本発明の第１の実施例における水平偏向回路の回路図
【図２】本発明の第２の実施例における水平偏向回路の回路図
【図３】図２における着磁したインナーピン補正コイルの特性図
【図４】図２における着磁したインナーピン補正コイルに流れる電流波形図
【図５】従来の水平偏向回路例の回路図
【図６】従来の垂直周期のパラボラ電圧Ｖｍの波形図
【図７】従来のインナーピン歪みを示す図
【図８】従来の回路に流れる電流を示す波形図
【図９】従来の画面中央縦線の弓状歪みを示す図
【符号の説明】
１  水平出力トランジスタ
２  直流電源
３  フライバックトランスの一次巻線
４  第１のダンパーダイオード
５  第２のダンパーダイオード
６  第１の共振コンデンサ
７  第２の共振コンデンサ
８  ピンクッション補正用変調コイル
９  コンデンサ
１０  変調源
１１  第１のＳ字補正コンデンサ
１２  第２のＳ字補正コンデンサ
１３ａ  補正コイル
１３ｂ  補正コイルの２次側
１４  偏向コイルの水平巻線
１５  インナーピン補正用コイル
１６  インナーピン補正用着磁コイル
【図１】
0003932696.tif 000002
【図２】
0003932696.tif 000003
【図３】
0003932696.tif 000004
【図４】
0003932696.tif 000005
【図５】
0003932696.tif 000006
【図６】
0003932696.tif 000007
【図７】
0003932696.tif 000008
【図８】
0003932696.tif 000009
【図９】
0003932696.tif 000010